(57)【特許請求の範囲】
【請求項１】
立軸海水ポンプのポンプケーシングの上面に淡水注入座を設け、この淡水の注入座に淡水止め弁を介して外部の淡水注入系統の圧縮淡水源を配管接続し、前記海水ポンプの停止時に前記ポンプケーシング内部に淡水を充満してなることを特徴とする海水ポンプの腐食防止装置。
【請求項２】
立軸海水ポンプのポンプケーシングと、このポンプケーシング内を挿通するシャフトの上部軸受室との間に軸受潤滑水配管を設け、この軸受潤滑水配管に淡水注入座を設け、この淡水注入座に淡水止め弁を介して外部の淡水注入系の圧縮淡水源を配管接続し、前記海水ポンプの停止時に前記ポンプケーシング内に淡水を充満してなることを特徴とする海水ポンプの腐食防止装置。
【請求項３】
立軸海水ポンプのポンプケーシングまたは軸受潤滑水配管に淡水注入座を設け、この淡水注入座に淡水止め弁を介して外部の淡水注入系統の圧縮淡水源を配管接続すると共に、前記淡水止め弁に遠隔操作用電動弁を使用し、前記海水ポンプ停止時に自動的に前記電動弁を開き、前記海水ポンプ内部に淡水を充満してなることを特徴とする海水ポンプの腐食防止装置。
【請求項４】
立軸海水ポンプケーシングまたは軸受潤滑水配管に淡水注入座を設け、この淡水注入座に淡水止め弁を介して外部の淡水注入系統の圧縮淡水源を配管接続すると共に、その淡水注入弁に遠隔操作用電動弁を使用すると共にこの電動弁にタイマーを接続して前記海水ポンプ停止時に自動的に前記電動弁を開き、一定時間で開閉動作し、前記海水ポンプ内部に淡水を充満してなることを特徴とする海水ポンプの腐食防止装置。
【請求項５】
立軸海水ポンプのポンプケーシングの下端に設けたポンプ吸込ベルマウスに着脱自在に閉止蓋を設け、この閉止蓋に排水ポンプを設けてなることを特徴とする海水ポンプの腐食防止装置。
【請求項６】
立軸海水ポンプのポンプケーシングの下端に設けたポンプ吸込ベルマウスに底板を設け、この底板に排水ポンプを設け、前記ポンプケーシングの外面上部に固定装置を設け、この固定装置と前記底板との間にスカートを設けてなることを特徴とする海水ポンプの腐食防止装置。
【発明の詳細な説明】
【０００１】
【発明の属する技術分野】
本発明は例えば原子力発電プラントに設置される立軸海水ポンプの腐食防止装置に関する。
【０００２】
【従来の技術】
一般に原子力発電プラントの定期検査などにおいて循環水ポンプ等の立軸海水ポンプを運転しないで長期間停止する場合は、海水ポンプ内部の腐食防止および海生物の成長を防止するため、ポンプ室の海水を抜き取り、海水ポンプをドライ状態に保持する必要がある。以下、図７を参照して従来行われている海水ポンプのドライ状態保持方法を説明する。
【０００３】
図７において、符号１は立軸海水ポンプの概略を示している。海水ポンプ１はポンプケーシング２と、このポンプケーシング２の下端部に設けたポンプ吸込ベルマウス３と、このベルマウス３の上方に設けたインペラ４と、このインペラ４を回転するための電動機５と、この電動機５とインペラ４との間を接続する上部軸受６およびシャフト７とにより構成されている。
【０００４】
ポンプケーシング２の上端側には海水系統配管８が接続し、海水系統配管８には海水止め弁９が設けられている。海水ポンプ１は、海水ポンプ室10内に設置され、海水ポンプ１内にたまっている海水は海水ポンプ室10内に流下して貯留される。海水ポンプ室10には堰12が設けられ、海水ポンプ室10内にたまった海水11は海水汲み出しポンプ14の駆動によりホース13を通して堰12内に流入する。
【０００５】
海水ポンプ１の停止後は、海水止め弁９を全閉して海水系統配管８を隔離すると共に、海水ポンプ室10に堰12を入れ、海水ポンプ室10も取水路から隔離する。この状態で海水汲み出しポンプ14を使用してホース13を通して海水ポンプ室10内の海水11を抜水していた。
【０００６】
【発明が解決しようとする課題】
海水ポンプ１の腐食防止および海生物の成長防止の観点から、上述の通り長期停止の際には海水ポンプ室10の水抜きをせざるを得なかったが、これらの水抜き作業には多くの時間と手間を費やす課題がある。
【０００７】
一般に淡水雰囲気中では海水ポンプの構成部材の腐食および付着海生物の成長が抑えられることが知られているので、本発明では、従来の水抜き作業に代り海水ポンプ内を淡水置換することにより腐食防止効果を高めることにある。すなわち、本発明は、海水ポンプを短時間で保管・起動できる海水ポンプの腐食防止装置を提供することにある。
【０００８】
【課題を解決するための手段】
請求項１の発明は、立軸海水ポンプのポンプケーシングの上面に淡水注入座を設け、この淡水の注入座に淡水止め弁を介して外部の淡水注入系統の圧縮淡水源を配管接続し、前記海水ポンプの停止時に前記ポンプケーシング内部に淡水を充満してなることを特徴とする。
【０００９】
この発明によれば、海水ポンプ内部に淡水を注入する機能を有することにより、海水ポンプ室から水抜きすることなく海水ポンプ構成部材の腐食ならびに海水ポンプ内部での海生物の成長を防止できる。また、海水ポンプ室内の水抜きを行う必要がないため、従来に比べ短時間で腐食防止環境を得ることができる。
【００１０】
請求項２の発明は、立軸海水ポンプのポンプケーシングと、このポンプケーシング内を挿通するシャフトの上部軸受室との間に軸受潤滑水配管を設け、この軸受潤滑水配管に淡水注入座を設け、この淡水注入座に淡水止め弁を介して外部の淡水注入系の圧縮淡水源を配管接続し、前記海水ポンプの停止時に前記ポンプケーシング内に淡水を充満してなることを特徴とする。
この発明によれば、軸受潤滑配管に淡水注入座を設けることにより、同様の効果を持たせることができる。
【００１１】
請求項３の発明は、立軸海水ポンプのポンプケーシングまたは軸受潤滑水配管に淡水注入座を設け、この淡水注入座に淡水止め弁を介して外部の淡水注入系統の圧縮淡水源を配管接続すると共に、前記淡水止め弁に遠隔操作用電動弁を使用し、前記海水ポンプ停止時に自動的に前記電動弁を開き、前記海水ポンプ内部に淡水を充満してなることを特徴とする。
【００１２】
この発明によれば、淡水注入配管上に遠隔操作可能な弁を設けたものである。海水ポンプの停止時に自動的に弁を開ける機能によって腐食防止環境への移行が迅速に行われる。
【００１３】
請求項４の発明は、立軸海水ポンプケーシングまたは軸受潤滑水配管に淡水注入座を設け、この淡水注入座に淡水止め弁を介して外部の淡水注入系統の圧縮淡水源を配管接続すると共に、その淡水注入弁に遠隔操作用電動弁を使用すると共にこの電動弁にタイマーを接続して前記海水ポンプ停止時に自動的に前記電動弁を開き、一定時間で開閉動作し、前記海水ポンプ内部に淡水を充満してなることを特徴とする。
この発明によれば、遠隔操作可能な弁にタイマー機能を設け、自動的に開閉させることによって、淡水注入量を必要最小限に抑えることができる。
【００１４】
請求項５の発明は、立軸海水ポンプのポンプケーシングの下端に設けたポンプ吸込ベルマウスに着脱自在に閉止蓋を設け、この閉止蓋に排水ポンプを設けてなることを特徴とする。
【００１５】
この発明によれば、ポンプ吸込ベルマウス下部に小型排水ポンプを具備した脱着可能な閉止蓋を設置するものである。海水ポンプ停止時に本蓋をポンプ吸込ベルマウスに取り付け、小型排水ポンプを起動し、ケーシング内部の海水を抜水，あるいは前述請求項１あるいは２の装置を併用することにより淡水置換を行うものである。
【００１６】
請求項６の発明は、立軸海水ポンプのポンプケーシングの下端に設けたポンプ吸込ベルマウスに底板を設け、この底板に排水ポンプを設け、前記ポンプケーシングの外面上部に固定装置を設け、この固定装置と前記底板との間にスカートを設けてなることを特徴とする。
【００１７】
この発明によれば、海水ポンプの没水部全体を覆う隔離カバーを設置するものである。海水ポンプ停止時に本隔離カバーを取り付けポンプ没水部全体を包み込む。この状態でケーシング内部の海水を抜水，あるいは前述請求項１あるいは２の発明を併用することによりポンプ没水部全体を効果的に淡水置換するものである。
【００１８】
【発明の実施の形態】
図１により請求項１に対応する第１の実施の形態を説明する。なお、図１中、図７と同一部分には同一符号を付して重複する部分の説明は省略する。
立型海水ポンプ１においてポンプケーシング２の上面に淡水注入座15を設け、この淡水注入座15に淡水止め弁16を接続する。この淡水止め弁16には淡水注入系統17を接続する。淡水注入系統17は図示してないが圧縮淡水源と配管接続している。淡水止め弁16を開とし淡水注入系統17から淡水注入座15を通して淡水31を注入することによってポンプケーシング２内部を洗い流す効果が得られるため、淡水注入座15はポンプケーシング２の上部に設置する。ポンプ室10内は淡水によって満たされる。
【００１９】
本実施の形態では、海水ポンプ１の停止後、海水止め弁９を全閉し系統と隔離し、その後、淡水止め弁16を開き、海水ポンプ１内部に淡水31を注入する。ポンプケーシング２の上部からの淡水31の注入により、海水ポンプ１内の海水はポンプ吸込ベルマウス３から排出され、ポンプケーシング２内部は淡水31と置換される。置換後、淡水注入を完全に停止すると海水ポンプ１内の海水11の濃度が徐々に上昇する懸念があるため、淡水止め弁16を微開し、常時若干の淡水補給を維持する。
【００２０】
つぎに図２により請求項２に対応する第２の実施の形態を説明する。
本実施の形態が第１の実施の形態と異なる点は立軸海水ポンプ１のポンプケーシング２とシャフト７を接続する上部軸受室18との間に軸受潤滑のために軸受潤滑水配管19を設け、この軸受潤滑水配管19上に淡水注入座15に淡水止め弁16および淡水注入系統17を設けたことにある。その他の部分は第１の実施の形態と同様である。本実施の形態によれば、第１の実施の形態と同様の効果を上げることができる。
【００２１】
つぎに図３により請求項３に対応する第３の実施の形態を説明する。
本実施の形態は第１の実施の形態における淡水止め弁16を図３に示すように電動弁20に代え、海水止め弁９と信号線21により接続したことにある。海水止め弁９が全閉した信号を受けて、電動弁20が自動開するインターロックを設ける。
【００２２】
本実施の形態によれば、海水ポンプ１が停止し、海水止め弁９が全開すると、その信号により淡水止め電動弁20が開き、自動的に淡水注入が開始されて海水ポンプ室10内に淡水31が満たされる。これにより、腐食防止環境が迅速に確立できる。
【００２３】
つぎに図４により請求項４に対応する第４の実施の形態を説明する。
本実施の形態は、第１および第２の実施の形態において、淡水止め弁16の代りに遠隔操作用電動弁20を使用し、この電動弁20にタイマー22を接続したことにある。
【００２４】
本実施の形態によれば電動弁20をタイマー22により一定間隔で開閉させる機能を追加したものである。これにより海水ポンプ停止後、淡水を間欠注入を行うことで、淡水使用量を節約することができる。
【００２５】
つぎに図５により請求項５に対応する第５の実施の形態を説明する。
本実施の形態は図５に示すようにポンプケーシング２の下端に設けたポンプベルマウス３に着脱自在に閉止蓋23を支持装置24を介して設けると共に、閉止蓋23に小型排水ポンプ25を直接設置したことにある。なお、ポンプ吸込ベルマウス３との接触面にはパッキン25を使用しシール性を高めるものとする。また、閉止蓋23にはベルマウス３との脱着を自在にするための支持装置24を設け、また小型排水ポンプ26を取り付ける。
【００２６】
本実施の形態によれば、海水ポンプ１の停止後、ポンプ吸込ベルマウス３の下部に閉止蓋23を密着するように設置すると共に、小型排水ポンプ26を起動し、ポンプケーシング２内部の海水を抜水する。抜水状態での保管も可能ではあるが、海水のリークを懸念される場合には、前述の請求項１あるいは２の装置を併用することにより、淡水31を海水ポンプ室10内に注入保管も可能となる。
【００２７】
つぎに図６により請求項６に対応する第６の実施の形態を説明する。
ケーシング周囲を覆う隔離カバーを用意する。隔離カバーは底板27と蛇腹状のスカート19から構成され、底板には小型排水ポンプ26を具備している。ポンプケーシング２の上部外面には固定装置29が取り付けられ、固定装置29の吊り具30によりスカート28の上端部はひっ掛けられて脱落しないように脱着自在に吊り下げられる。
【００２８】
本実施の形態によれば、海水ポンプ１の停止後、隔離カバーの底板25を海水ポンプ１の下部にセットし、スカート19を引き上げ上部の固定装置20に固定する。その後、小型排水ポンプ15を起動し隔離カバー内部の海水を抜水する。そして必要に応じて海水ポンプ室10内に淡水31を満たす。なお、前述した第１または第２の実施の形態を併用すれば海水ポンプの洗浄効果が得られる。
【００２９】
【発明の効果】
本発明によれば、海水ポンプケーシング内部に淡水を注入すること，海水ポンプ内部の機器と海水とを隔離することで、海水ポンプの内部機器の腐食防止および海生物の成長を防止できる。また、発電プラント停止時に海水ポンプを保管状態にするまでの時間，および発電プラント起動時の海水ポンプが起動するまでの時間を大幅に短縮できる。
【図面の簡単な説明】
【図１】本発明に係る海水ポンプの腐食防止装置の第１の実施の形態を一部側面で示す縦断面図。
【図２】本発明に係る海水ポンプの腐食防止装置の第２の実施の形態を一部側面で示す縦断面図。
【図３】本発明に係る海水ポンプの腐食防止装置の第３の実施の形態を一部側面で示す縦断面図。
【図４】本発明に係る海水ポンプの腐食防止装置の第４の実施の形態を一部側面で示す縦断面図。
【図５】本発明に係る海水ポンプの腐食防止装置の第５の実施の形態を一部側面で示す縦断面図。
【図６】本発明に係る海水ポンプの腐食防止装置の第６の実施の形態を一部側面で示す縦断面図。
【図７】従来の海水ポンプのドライ状態保持方法を説明するための一部側面で示す縦断面図。
【符号の説明】
１…海水ポンプ、２…ポンプケーシング、３…ポンプ吸込ベルマウス、４…インペラ、５…電動機、６…上部軸受、７…シャフト、８…海水系統配管、９…海水止め弁、10…海水ポンプ室、11…海水、12…堰、13…ホース、14…海水汲み出しポンプ、15…淡水注入座、16…淡水止め弁、17…淡水注入系統、18…上部軸受室、19…軸受潤滑水配管、20…遠隔操作用電動弁、21…信号線、22…タイマー、23…閉止蓋、24…支持装置、25…パッキン、26…小型排水ポンプ、27…底板、28…スカート、29…固定装置、30…吊り具、31…淡水。
【図１】
0003655043.tif 000002
【図２】
0003655043.tif 000003
【図３】
0003655043.tif 000004
【図４】
0003655043.tif 000005
【図５】
0003655043.tif 000006
【図６】
0003655043.tif 000007
【図７】
0003655043.tif 000008